(57)【要約】【課題】  プリンタの使用者が各画像データに関して記録設定を行った順番に従って記録を行う。【解決手段】  複数の画像データに基づいてプリンタにより複数の画像の記録を行う画像記録方法であって、プリンタの使用者が各画像データに関する記録設定を行うと、対応する各画像データに記録設定が行われた順番を示す設定順序情報を付加し、設定順序情報を参照して、記録設定の順番に各画像の記録を行う。【選択図】      図２
2006188009.tif 000002
【特許請求の範囲】
【請求項１】
複数の画像データに基づいてプリンタにより複数の画像の記録を行う画像記録方法であって、
前記プリンタの使用者が前記各画像データに関する記録設定を行うと、対応する前記各画像データに前記記録設定が行われた順番を示す設定順序情報を付加し、前記設定順序情報を参照して、前記記録設定の順番に前記各画像の記録を行うことを特徴とする画像記録方法。
【請求項２】
複数の画像データに基づいて複数の画像の記録を行うプリンタであって、
前記各画像データに関して行われた記録設定の順番を示す設定順序情報を対応する前記画像データに付加する記録設定部と、
前記設定順序情報に基づき、前記各画像データの並べ換えを行う並べ換え部と、
前記並べ換え部において並べ換えた順番に従って前記各画像の記録を行う記録ヘッドとを有することを特徴とするプリンタ。
【発明の詳細な説明】
【技術分野】
【０００１】
本発明は画像記録方法およびプリンタに係り、特に複数の画像データに基づき複数の画像の記録を行う画像記録方法およびこの画像記録方法を実施するためのプリンタに関する。
【背景技術】
【０００２】
近年、例えばディジタルスチルカメラや携帯電話に内蔵されたカメラ等の画像データ取得装置により取得された複数の画像データを、このディジタルカメラ等をケーブルまたは無線を介して直接入力し、またはコンピュータを介して入力することにより、複数の画像の記録を行うプリンタが多用されている（例えば、特許文献１、特許文献２参照）。
【０００３】
図３は、従来のプリンタの画像記録方法の一例を示すフローチャートであり、図３に示すように、前記プリンタの画像記録方法は、まず、画像データ取得装置により取得された複数の画像データがプリンタに入力されると（ＳＴ１１）、プリンタは、例えば画像データに付加されているファイル名等の画像情報を参照し、前記画像情報に基づいて画像データの並べ換えを行う（ＳＴ１２）。
【０００４】
続いて、プリンタは、入力された画像データを表示部において表示する（ＳＴ１３）。そして、プリンタの使用者が、表示部を参照して、各画像データにつき、記録を行うか否か、および記録を行う場合の枚数等の記録設定を行うと（ＳＴ１４においてＹｅｓ）、プリンタは、設定された記録設定に関する記録設定情報を、対応する画像データに付加する（ＳＴ１５）。
【０００５】
さらに、プリンタは、各画像データに記録設定情報が付加されているかによって記録設定が行われたか否かを判断し、記録設定が行われた場合には（ＳＴ１６においてＹｅｓ）、ファイル名や画像データ取得日時等の画像情報に基づき記録を行う各画像データについて再度並べ換えを行う（ＳＴ１７）。
【０００６】
そして、画像情報によって各画像データを並べ換えた後、並べ換えた順番に従って複数の画像データの記録を行う（ＳＴ１８）。
【０００７】
一方、記録設定が行われなかった場合には（ＳＴ１４、ＳＴ１６においてＮｏ）、プリンタは、画像情報に基づいて並べた順番によって、複数の画像データの記録を行っていた（ＳＴ１８）。
【０００８】
しかし、従来のプリンタの画像記録方法においては、ファイル名等の画像情報に基づいて記録を行う各画像データの並べ換えを行うようになっている。このため、例えば１枚の記録媒体に複数の画像を記録する場合、１枚の記録媒体に任意の各画像を記録するために、プリンタの使用者が記録を行いたい順番に記録設定を行っても、プリンタは記録設定の順番に記録を行うことができず、プリンタの使いやすさに欠けるという問題を有していた。
【０００９】
【特許文献１】特開２００１−２３８１５６号公報
【特許文献２】特開２００３−０４６９４３号公報
【発明の開示】
【発明が解決しようとする課題】
【００１０】
本発明はこれらの点に鑑みてなされたものであり、プリンタの使用者が各画像データに関して記録設定を行った順番に従って記録を行うことが可能な画像記録方法およびプリンタを提供することを目的とする。
【課題を解決するための手段】
【００１１】
前記目的を達成するため、本発明に係る画像記録方法の特徴は、複数の画像データに基づいてプリンタにより複数の画像の記録を行う画像記録方法であって、前記プリンタの使用者が前記各画像データに関する記録設定を行うと、対応する前記各画像データに前記記録設定が行われた順番を示す設定順序情報を付加し、前記設定順序情報を参照して、前記記録設定の順番に前記各画像の記録を行う点にある。
【００１２】
この本発明に係る画像記録方法によれば、使用者が設定記録を行った順番を示す設定順序情報を各画像データに付加させることができ、この設定順序情報に基づいて並べ換えを行うことにより、使用者が設定した順番にしたがって各画像データを並べ換えることができる。
【００１３】
また、本発明に係るプリンタの特徴は、複数の画像データに基づいて複数の画像の記録を行うプリンタであって、前記各画像データに関して行われた記録設定の順番を示す設定順序情報を対応する前記画像データに付加する記録設定部と、前記設定順序情報に基づき、前記各画像データの並べ換えを行う並べ換え部と、前記並べ換え部において並べ換えた順番に従って前記各画像の記録を行う記録ヘッドとを有する点にある。
【００１４】
この本発明に係るプリンタによれば、使用者が設定記録を行った順番を設定順序情報として各画像データに付加させることができ、この設定順序情報に基づいて並べ換えを行うことにより、使用者が設定した順番にしたがって各画像データを並べ換えることができる。
【発明の効果】
【００１５】
以上述べたように、本発明に係る画像記録方法およびプリンタによれば、使用者が、記録を行いたい順番に各画像データについて記録設定を行うことにより、記録設定の順番に従って各画像の記録を行うことができる。これにより、使用者の任意の順番で画像の記録を行うことができ、プリンタの使いやすさの向上を図ることができる。
【発明を実施するための最良の形態】
【００１６】
以下、本発明に係るプリンタの一実施形態を図１および図２を参照して説明する。ここで、本実施形態においては、画像データ取得装置としてデジタルスチルカメラによって取得された複数の画像データを、デジタルスチルカメラを直接ケーブルを介してプリンタに接続することにより入力し、１枚の記録媒体に複数の画像を記録する用いて説明する。
【００１７】
図１は、本実施形態に係るプリンタを示すブロック図であり、図１に示すように、プリンタ１には、記録媒体２に画像の記録を行う記録ヘッド３が設けられている。また、プリンタ１には、入力された各画像データ５を表示する表示部６が設けられているとともに、表示部６に表示された各画像データ５に基づいて、プリンタ１の使用者が、前記各画像データ５の記録を行うか否か、記録を行う枚数等の種々の記録設定を行うための入力部７が設けられている。
【００１８】
さらに、プリンタ１は、プリンタ１の各部を制御する制御部９を有し、制御部９は、デジタルスチルカメラ１１からケーブル１２を介して複数の画像データ５が入力されると、画像データ５に付加されているファイル名や画像データ取得日時等の画像情報に基づいて、各画像データ５の並べ換えを行う第１並べ換え部１３を有している。本実施形態においては、第１並べ換え部１３は、画像情報のファイル名の小さい順番に各画像データ５を並べ換えるようになっている。
【００１９】
制御部９は、前記ファイル名に基づいて並べ換えられた各画像データ５を表示部６において表示する記録設定部１４を有する。記録設定部１４は、プリンタ１の使用者が、表示部６に表示された各画像データ５を参照して、各画像データ５につき記録を行うか否か、および記録を行う場合の枚数等の記録設定を行うと、設定された記録設定に関する記録設定情報を、対応する各画像データ５に付加するようになっている。さらに、記録設定部１４は、記録設定が行われた順番を示す設定順序情報を、前記記録設定情報とともに対応する各画像データ５に付加するようになっている。
【００２０】
制御部９は、記録設定部１４から記録設定情報および設定順序情報が付加された各画像データ５を入力し、設定順序情報を参照して、記録設定が行われた順番に各画像データ５の並べ換えを行う第２並べ換え部１５を有している。そして、第２並べ換え部１５は、各画像データ５を、設定順序情報に基づいて記録設定が行われた順番に従い記録ヘッド３に出力するようになっている。
【００２１】
次に、本実施形態に係るプリンタ１の画像記録方法について、図２を参照して説明する。
【００２２】
プリンタ１は、デジタルスチルカメラ１１からケーブル１２を介して複数の画像データ５を入力すると（ＳＴ１）、図２に示すように、まず、制御部９は、各画像データ５を第１並べ換え部１３に入力し、第１並べ換え部１３は、各画像データ５に付加された画像情報のファイル名を参照して、ファイル名の小さい方から順番に各画像データ５の並べ換えを行う（ＳＴ２）。
【００２３】
続いて、第１並べ換え部１３が、並べ換えられた各画像データ５を記録設定部１４に出力すると、記録設定部１４は、第１並べ換え部１３において並べ換えられた順番にしたがって各画像１６を表示部６に表示する（ＳＴ３）。
【００２４】
ここで、プリンタ１の使用者が、表示部６に表示された各画像１６の画像データ５に基づいて、記録を行うか否か、および記録を行う枚数等の記録設定を入力部７によってプリンタ１に入力すると（ＳＴ４においてＹｅｓ）、記録設定部１４は、入力部７により入力された記録設定に関する記録設定情報を、対応する各画像データ５に付加する。これとともに、記録設定部１４は、記録設定が行われた順番を示す設定順序情報を、記録設定情報とともに対応する各画像データ５に付加する（ＳＴ５）。
【００２５】
続いて、記録設定部１４は、使用者による記録設定が終了すると（ＳＴ４においてＮｏ）、記録設定情報および設定順序情報が付加された各画像データ５を第２並べ換え部１５に出力する。第２並べ換え部１５は、各画像データ５に記録設定情報および設定順序情報が付加されているかにより記録設定が行われたか否かを判断し、設定順序情報等が付加されている場合には（ＳＴ６においてＹｅｓ）、各画像データ５の設定順序情報に基づいて、記録設定が行われた順番に各画像データ５の並べ換えを行う（ＳＴ７）。
【００２６】
そして、第２並べ換え部１５は、各画像データ５を第２並べ換え部１５において並べ換えられた順番にしたがって記録ヘッド３に出力し、記録ヘッド３は、入力した各画像データ５の順番にしたがって、各画像データ５に基づき１枚の記録媒体２に複数の画像の記録を行う（ＳＴ８）。
【００２７】
一方、プリンタ１の使用者が、記録設定を行わなかった場合には（ＳＴ４においてＮｏ）、記録設定部１４は入力された各画像データ５をそのまま第２並べ換え部１５に出力する。さらに、第２並べ換え部１５は、各画像データ５に記録設定情報等が付加されていないと判断して（ＳＴ６においてＮｏ）、ファイル名に基づいて並べられた順番に従い各画像データ５を記録ヘッド３に出力し、記録ヘッド３は、入力した各画像データ５の順番に従って、各画像データ５に基づき１枚の記録媒体２に複数の画像の記録を行う（ＳＴ８）。
【００２８】
本実施形態によれば、使用者が設定記録を行った順番を示す設定順序情報を各画像データ５に付加させることができ、この設定順序情報に基づいて並べ換えを行うことにより、使用者が記録設定を行った順番に従って各画像データ５を並べ換えることができる。
【００２９】
したがって、使用者が、記録を行いたい順番に各画像データ５について記録設定を行うことにより、記録ヘッド３によって記録設定の順番に従って各画像の記録を行うことができる。これにより、使用者の任意の順番で画像の記録を行うことができ、プリンタ１の使いやすさの向上を図ることができる。
【００３０】
なお、本発明は前記実施形態に限定されるものではなく、必要に応じて種々変更することが可能である。
【００３１】
例えば、本実施形態においては、第２並べ換え部１５において、画像データ５に付加された設定順序情報に基づき各画像データ５の並べ換えを行い、この順番によって記録が行われているが、これに限定されることはなく、記録順序情報のみではなくファイル名等の画像情報に基づく並べ換え等、並べ換えの基準を選択することができるようにしてもよい。
【００３２】
また、画像データ取得装置として、携帯電話に内蔵されたカメラによって取得された複数の画像データ５を記録するものでもよく、さらに、画像データ取得装置から赤外線等の無線を利用し、またはコンピュータを介してプリンタ１に入力するようにしてもよい。
【００３３】
さらにまた、本実施形態においては、プリンタ１において、記録設定を行い、設定順序情報を対応する画像データ５に付加するものであるが、本発明の画像記録方法は、これに限定されるものではない。例えば、プリンタ１の使用者が画像データ取得装置において記録設定を行い、この画像データ取得装置において設定順序情報を対応する各画像データ５に付加してもよい。また、各画像データ５をパーソナルコンピュータ等に入力し、プリンタ１の使用者がパーソナルコンピュータにおいて記録設定を行い、このパーソナルコンピュータにおいて設定順序情報を対応する各画像データ５に付加するものであってもよい。
【図面の簡単な説明】
【００３４】
【図１】本発明に係るプリンタの一実施形態を示すブロック図
【図２】図１のプリンタの画像記録方法を示すフローチャート
【図３】従来のプリンタの画像記録方法を示すフローチャート
【符号の説明】
【００３５】
１  プリンタ
２  記録媒体
３  記録ヘッド
５  画像データ
６  表示部
７  入力部
９  制御部
１１  デジタルスチルカメラ
１２  ケーブル
１３  第１並べ換え部
１４  記録設定部
１５  第２並べ換え部
【図１】
2006188009.tif 000003
【図２】
2006188009.tif 000004
【図３】
2006188009.tif 000005